(57)【要約】【課題】ガラス板や鏡に文字、数字、図形、模様などを形成する場合、これらがハッキリと見えるようにした砂打ち文字等の提供。【解決手段】上記文字、数字、図形、模様などをガラス板２や鏡の裏面９に砂打ちによる細かい凹凸面１０にて加工し、必要に応じて塗料又はインクを塗布する。【選択図】        図２
2004210618.tif 000002
【特許請求の範囲】
【請求項１】
ガラス板又は鏡に形成した文字、数字、図形、模様など表側から見ることが出来るように形成したもので、該ガラス裏面に砂打ち加工により細かい凹凸面にて上記文字、数字、図形、模様などを形成したことを特徴とするガラス裏面に加工した砂打ち文字等。
【請求項２】
鏡に形成した文字、数字、図形、模様など表側から見ることが出来るように形成したもので、該鏡にレーザー光線を照射して裏側の反射塗料層を剥離することで上記文字、数字、図形、模様などを形成したことを特徴とするガラス裏面に加工した文字等。
【請求項３】
上記凹凸面又は反射塗料層の剥離面に塗料又はインクなどを塗布した請求項１、又は請求項２記載のガラス裏面に加工した文字等。
【発明の詳細な説明】
【０００１】
【発明の属する技術分野】
本発明はガラスの裏面に砂打ち加工等を施して形成される文字、数字、図形、及び記号などに関するものである。
【０００２】
【従来の技術】
ガラス面に文字や数字、及び図形などを形成する場合は多い。例えば、店のショウウインドウに該店舗の名称を記入する場合、結婚写真を入れた額縁のガラス面に結婚日を記入する場合、又亡くなった人の写真を入れた額縁のガラス面にその名前や年月日、及び歳を記入する場合など、色々ある。
【０００３】
このようにガラス表面に文字や数字を記入する際に用いられる材料は一般に塗料又はインクであり、ガラス表面に表示される文字や数字などは２重に見える。すなわち、ガラス面に対して正面から見る場合には２重に成ることはないが、多少斜め方向から見ると２重に成ってしまう。特に、ガラス板の厚さが大きい場合にはその現象が著しい。
【０００４】
図４はガラス表面に文字を記載した場合の２重表示の原理を表しているが、表面（ロ）に形成される文字（イ）はガラス裏面（ハ）に反射し、この反射の影（ニ）が実際の文字（イ）とズレて見える。ガラス板（ホ）が厚い場合で、文字（イ）が細かい場合には、２重に成った文字（イ）と影（ニ）が重なり合って識別することが出来なくなる。
【０００５】
一方、ガラス表面に記載した文字や図形などはガラス面から凸状に盛り上がって形成される為に、物に擦れて磨耗したり、剥がれたりして、時が経つにつれて該文字や図形が消えてしまう場合も多い。又、表面側に形成することで汚れが付着するといった問題も発生する。
【０００６】
【発明が解決しようとする課題】
このように、ガラス表面に形成される文字や図形などには上記のごとき問題がある。本発明が解決しようとする課題はこれら問題点であり、表示した文字や図形等が２重にならないではっきり見えることが出来る、砂打ち加工等にて形成される文字等を提供する。
【０００７】
【課題を解決する為の手段】
本発明はガラス面に文字、図形、模様などを形成する訳であるが、ガラス表面ではなく裏面に形成される。そして、裏面に塗料やインクで描くのではなく、砂打ち加工される。すなわち砂打ち加工した文字や図形は、細かい凹凸面として形成され、光の乱反射にて白っぽい加工面となり、これが文字及び図形等を形成する。
【０００８】
裏面に形成した文字や図形は反射による２重表示はなく、斜めから見ても砂打ちされた文字や図形等はハッキリと見ることが出来る。砂打ちされた細かい凹凸面はガラス裏面より凹状化され、物が当っても擦れて消えることはない。そして、必要に応じて細かい凹凸面に色彩を付着することは自由である。
【０００９】
ここで、本発明のガラス面とは透明ガラスに限らず鏡面も対象とし、鏡の場合には裏面の反射塗料層を砂打ち加工にて剥離することが出来、更に反射塗料層だけでなくガラス面も同時に砂打ち加工して凹凸面を形成出来る。さらに、鏡の場合には表側からレーザー光線を照射することで裏面の反射塗料層を剥離することで文字や図形を形成することも可能である。以下、本発明に係る実施例を図面に基づいて詳細に説明する。
【００１０】
【実施例】
図１は亡くなった人の写真を入れた額を示し、同図の１は額縁、２はガラス板、３は写真、４は押え裏板を夫々表している。額縁１は縦縁５，５と横縁６，６が長方形に枠組みされ、裏側には内周に形成した段差によって嵌合部を設け、該嵌合部に上記ガラス板２、写真３、及び押え裏板４が順に嵌まり、額縁１の裏面に取付けられている押えツメ７，７・・にて外れないように固定されている。
【００１１】
上記写真は顔又は上半身が写されたものであり、該写真が入った額縁１は仏壇の片隅に置かれたり、又は部屋に掛けることもある。そして、写真の下部には氏名、亡くなった年月日、及び亡くなった時の歳が表示されている。従来では、ガラス板２の下部であって、額縁１の横縁６の近くに表示されていたが、本発明では、ガラス板２の裏面に記入される。
【００１２】
しかも、ガラス板２の裏面には塗料やインクではなく、砂打ち加工による細かい凹凸面にて形成される。図２はガラス板２の断面を示しているが、表面８に形成されることなく、裏面９を砂打ち加工して凹凸面１０にて所定の文字が形成されている。砂打ち加工を行なうには、上記氏名、年月日、歳などの所定の文字を打抜いたシールが用いられ、このシールをガラス板２の裏面９に当てて砂打ち加工するならば、打抜かれた文字の部分だけが凹凸面１０から成る文字が出来上がる。
【００１３】
図３はガラス板裏面９に形成した凹凸面１０によって形成される文字をガラス板表面８から見る場合を示している。凹凸面１０は光が当る事で乱反射して文字が白っぽく成って見ることに成る。そして、同図に示すように斜めから見ても該凹凸面１０が２重に成ることはなく正確に見ることが出来る。該凹凸面１０は砂打ちされることで裏面９より僅かに窪んでいるが、この窪みに塗料やインクを塗布して色彩を付与することも出来る。
【００１４】
又、本発明は額縁に嵌めるガラス板に限るものではなく、鏡に形成される文字などにも適用できる。例えば、建物の竣工祝いとして大きな鏡を贈呈する場合があり、該鏡に記入される贈呈者の名前を、裏面に砂打ち加工にて形成することが出来る。又、ショウウインドウを構成する厚いガラス板の文字を作ることもある。以上述べたように、本発明はガラス裏面に砂打ち加工して文字等を形成したものであり、次のような効果を得ることが出来る。
【００１５】
【発明の効果】
本発明のガラス面に形成される文字などは、その裏面に形成される。従って、ガラスの厚さに関係なく、斜め方向から見ても裏面に形成される文字が２重になって見えることはない。すなわち、ガラス裏面に形成されることで、表面から見る場合に反射画像が目に入ることはなく、厚いガラス板の裏面に形成される細かい文字を正確に見ることが可能と成る。
【００１６】
そして、該文字は砂打ちされた凹凸面である為に、文字が擦れて磨耗したり、剥がれることはなく、何時までも正確に表示できる。又、該凹凸面に塗料やインクを塗布することで、任意の色彩を呈すことも出来る。更に鏡の場合には表面からレーザー光線を照射することで裏面側の反射塗料層を剥離して簡単に文字や図形を形成出来る。
【図面の簡単な説明】
【図１】文字を形成したガラス板を嵌めた額縁。
【図２】ガラス板裏面に砂打ち加工した文字の断面拡大図。
【図３】ガラス板裏面の凹凸面にて形成した文字を斜めから見る場合。
【図４】ガラス板表面に形成した従来の文字。
【符号の説明】
１  額縁
２  ガラス板
３  写真
４  押え裏板
５  縦縁
６  横縁
７  押えツメ
８  表面
９  裏面
１０  凹凸面
【図１】
2004210618.tif 000003
【図２】
2004210618.tif 000004
【図３】
2004210618.tif 000005
【図４】
2004210618.tif 000006